(57)【要約】【課題】手の自由が利かない状態でも使用できるとともに、どのような手の大きさの人にも使いやすいステープラを提供する。【解決手段】ベース１と、ステープルを前記ベース１に向けて押し出す操作力を受け付ける操作部２と、前記操作部２が受け付けた操作力をステープルに伝達して該ステープルを押し出す機能を有する操作力伝達機構Ｍとを具備するとともに、ステープルをベース１に向けて押し出すことによりベース１とステープルとの間に位置させた紙葉類を綴じ込むように構成しているステープラＳにおいて、前記ベース１に向かいその載置面に垂直な方向に前記操作部２をスライド移動させる動作により前記操作力が与えられるように構成する。【選択図】図５
2004209620.tif 000002
【特許請求の範囲】
【請求項１】
ベースと、ステープルを前記ベースに向けて押し出す操作力を受け付ける操作部と、前記操作部が受け付けた操作力をステープルに伝達して該ステープルを押し出す機能を有する操作力伝達機構とを具備するとともに、ステープルをベースに向けて押し出すことによりベースとステープルとの間に位置させた紙葉類を綴じ込むように構成しているものであって、前記ベースに向かいその載置面に垂直な方向に前記操作部をスライド移動させる動作により前記操作力が与えられることを特徴とするステープラ。
【請求項２】
前記操作部をベースの載置面に垂直に移動させる機能を有する案内部を設けているとともに、この案内部が、前記ベースに起立させて設けられるガイド支柱と、前記操作部に設けられ前記ガイド支柱に嵌合可能なガイド部材とを備えていることを特徴とする請求項１記載のステープラ。
【請求項３】
前記ガイド支柱を１対起立させて設けているとともに、このガイド支柱に嵌合可能な前記ガイド部材も１対設けていることを特徴とする請求項２記載のステープラ。
【請求項４】
前記操作部が、平面視略楕円状ないし卵形をなすとともに、この操作部を片手で把持可能に構成していることを特徴とする請求項１、２又は３記載のステープラ。
【請求項５】
前記操作力伝達機構が、ステープルを前記ベースに向けて押し出す機能を有する押圧部と、前記操作部が受け付けた操作力を前記押圧部に伝える動作伝達部材とを具備するとともに、前記ベースと前記押圧部との間に位置しステープルを収納するマガジンを有するフレーム部をさらに具備し、前記ベース、前記フレーム部、及び前記押圧部のそれぞれ一端を共通の回転軸を中心に回転可能に接続していることを特徴とする請求項１、２、３又は４記載のステープラ。
【請求項６】
前記動作伝達部材が、前記ベース、前記フレーム部、及び前記押圧部を接続する前記回転軸と偏位した位置を中心に回転可能であるとともに、前記操作部と前記押圧部との双方に当接することを特徴とする請求項５記載のステープラ。
【発明の詳細な説明】
【０００１】
【発明の属する技術分野】
本発明は、紙葉類を綴じる用途に用いられるステープラに関する。
【０００２】
【従来の技術】
従来、紙葉類を綴じる用途に用いられるステープラ（ホッチキスとも呼ばれる）は、ベースと、ステープルを収納するマガジンを有するフレーム部と、マガジン内のステープルを前記ベースに向けて押圧する機能を有する押圧部とを具備するとともに、これらの一端を共通の回転軸を中心に回転可能に接続する構成が広く採用されている。そして、このようなステープラを用いて紙葉類を綴じ込むには、回動端側を把持して前記押圧部を前記ベースに向けて押圧し、この押圧部にステープルを前記ベースに向けて押圧させる必要がある。（例えば、特許文献１〜４参照。）なお、前記特許文献において、基台枠、基台体、及びクリンチャアームはベース、針はステープル、針収容函体及びマガジン部材はフレーム部、カバー体、ハンドル、ハンドル体、及びハンドル部材は押圧部にそれぞれ相当する。
【０００３】
【特許文献１】
特許２６３１３４２号公報
【特許文献２】
特開平１０−１９３２８２号
【特許文献３】
特許２６７１２５５号公報
【特許文献４】
特開２００２−２８８７７号
【０００４】
【発明が解決しようとする課題】
ところが、このような構成のステープラは、前記押圧部を前記ベースに向けて押圧する操作を、ステープラを把持することにより行う必要があることが多い。すなわち、手の自由が利かない状態ではこのような操作を行うことができないことがあり得るという不具合が存在する。また、手の大きさとステープラの大きさとが極端に異なる場合には使いにくくなってしまう不具合が存在する。
【０００５】
加えて、ベースとフレーム部と押圧部とを共通の回転軸を中心に回転可能に接続させる必要があるので、操作する部位により紙葉類の綴じ込み操作を行うのに必要な操作部の移動距離及び必要な操作力が異なってしまう。すなわち、回動端近傍を操作する場合は、必要な操作力は小さくなるが操作部を移動させる距離が大きくなり、基端部近傍を操作する場合は、操作部を移動させる距離は小さくなるが必要な操作力は大きくなる。さらに、デザインも限定されてしまう。
【０００６】
本発明は、以上に述べた課題を解決し、手の自由が利かない状態でも使用できるようにするとともに、どのような手の大きさの人にも使いやすくしつつ操作部位に関らず一定の操作感を与え、さらにデザインの自由度を高めるべく構成するものである。
【０００７】
【課題を解決するための手段】
すなわち本発明に係るステープラは、ベースと、ステープルを前記ベースに向けて押し出す操作力を受け付ける操作部と、前記操作部が受け付けた操作力をステープルに伝達して該ステープルを押し出す機能を有する操作力伝達機構とを具備するとともに、ステープルをベースに向けて押し出すことによりベースとステープルとの間に位置させた紙葉類を綴じ込むように構成しているものであって、前記ベースに向かいその載置面に垂直な方向に前記操作部をスライド移動させる動作により前記操作力が与えられることを特徴とする。
【０００８】
このようなものであれば、ベースを机の天板等に設置するとともに、指先や肘等、体の一部により操作力を操作部に加えて、操作部をベースの載置面に垂直な方向にベースの載置面に向けてスライド移動させることにより、前記操作力伝達機構によりステープルが前記ベースに向けて押し出されるので、ステープラを片手で握ることなく紙葉類の綴じ込み操作を行うことができる。従って、手の自由が利かない状態でも使用できるとともに、どのような手の大きさの人にも使いやすくできる。また、スライド移動により操作力を伝達するようにしているので、操作部のどの部位に操作力を加えても紙葉類の綴じ込み操作を行うのに必要な操作部の移動距離及び必要な操作力は一定であり、操作部のどの部位に操作力を加えても同様の操作感を与えるような構成を実現できる。さらに、操作部はベースの載置面に垂直な方向にベースの載置面に向けてスライド移動させることが可能であればよいので、デザインの自由度の飛躍的な向上を図ることができる。
【０００９】
操作部をベースの板面に垂直に移動させるよう案内させる効果を簡単に実現できる構成の一例として、前記操作部をベースの載置面に垂直に移動させる機能を有する案内部を設けているとともに、この案内部が、前記ベースに起立させて設けられるガイド支柱と、前記操作部に設けられ前記ガイド支柱に嵌合可能なガイド部材とを備えているものが挙げられる。
【００１０】
特に、前記ガイド支柱を１対起立させて設けているとともに、このガイド支柱に嵌合可能な前記ガイド部材も１対設けているものであれば、前記ガイド部材を同期させて移動させることを容易にできるようになるとともに、最小限の部品で操作部の移動方向を案内できるようになる。
【００１１】
紙葉類の綴じ込み操作を行いやすい操作部の形状の一例として、前記操作部が、平面視略楕円状ないし卵形をなすとともに、この操作部を標準的な体格を有する成人が片手で把持可能に構成しているものが挙げられる。このようなものであれば、操作部を片手で把持して操作を行う場合に操作部が手にフィットして把持しやすいからである。
【００１２】
このような構成を簡単に実現できる具体的な構成の一例として、前記操作力伝達機構が、ステープルを前記ベースに向けて押し出す機能を有する押圧部と、前記操作部が受け付けた操作力を前記押圧部に伝える動作伝達部材とを具備するとともに、前記ベースと前記押圧部との間に位置しステープルを収納するマガジンを有するフレーム部をさらに具備し、前記ベース、前記フレーム部、及び前記押圧部のそれぞれ一端を共通の回転軸を中心に回転可能に接続しているものが挙げられる。このようなものであれば、ベースとフレーム部と押圧部とを共通の軸を中心に回転可能に接続する従来のステープラの構成を流用しつつ、動作伝達部が操作力を押圧部に伝達し、押圧部がステープルを前記ベースに向けて押し出すようにしているので、最小限の設定変更で上述した効果を実現できる。
【００１３】
さらに、前記動作伝達部材が、前記ベース、前記フレーム部、及び前記押圧部を接続する前記回転軸と偏位した位置を中心に回転可能であるとともに、前記操作部と前記押圧部との双方に当接するものであれば、操作力を加えるにつれてこの動作伝達部材の回転中心と前記操作部に当接する部位とを結ぶトルクアームとベースの載置面との間の角を小さくする構成を実現できる。すなわち、このようなステープラを用いた紙葉類の綴じ込み操作の後半においてステープルを紙葉類に向けて押圧するには押圧部に大きな操作力を加える必要があるが、前記トルクアームとベースの載置面との間の角が小さくなるので、操作部に加えた操作力のうち、より多くの割合が押圧部に伝えられる。従って、このようなステープラを用いた紙葉類の綴じ込み操作の全行程にわたって必要とされる操作力をより一定に近づけることができるようになり、このようなステープラをさらに使いやすいものにできる。
【００１４】
【発明の実施の形態】
以下、本発明の一実施形態を、図面を参照して説明する。
【００１５】
本実施形態に係るステープラＳは、斜視図を図１、側面図を図２、平面図を図３、底面図を図４、中央側断面図を図５、図５におけるｘ−ｘ断面図を図６にそれぞれ示すように、平面視略卵形をなし、卓上に載置されるベース１と、ステープルを前記ベース１に向けて押し出す操作力を受け付ける操作部２と、前記操作部２が受け付けた操作力をステープルに伝達して該ステープルを押し出す機能を有する操作力伝達機構Ｍとを具備するとともに、ステープルをベース１に向けて押し出すことによりベース１とステープルとの間に位置させた紙葉類を綴じ込むように構成している。前記操作力伝達機構Ｍは、ステープルを前記ベース１に向けて押し出す機能を有する押圧部３と、前記操作部２が受け付けた操作力を前記押圧部３に伝える動作伝達部材４とを具備する。そして、前記ベース１と前記押圧部３との間に位置しステープルを収納するマガジン５１を有するフレーム部５をさらに具備する。また、前記押圧部３、及び前記フレーム部５は、従来のステープラとして周知のものと同様に構成している。
【００１６】
前記ベース１は、幅方向中央部に切欠１１ａを設けているベース本体１１と、このベース本体１１の切欠１１ａに配置されるステープルベース部１２とを有する。前記ベース本体１１は、前記切欠１１ａの基端部の両側部に起立板１１１を設けていて、この起立板１１１を貫通する回転軸１ｘに前記ステープルベース部１２を回転可能に支持するようにしている。ステープルベース部１２を回転させた状態を図５に想像線で示す。また、両側の起立板１１１の上後端部間には、被覆板１１２を横架して設けている。このベース本体１１は、合成樹脂により形成されている。前記ステープルベース部１２は、上述したように従来のステープルのベースと略同様に構成される。すなわち、細長い板状をなす基板部１２１と、前記基板部１２１の後部両側縁から起立する起立部１２２と、前記基板部１２１及び前記起立部１２２に当接して取り付けられるクリンチャ板１２３とを具備するとともに、前記クリンチャ板１２３の回動端部の上面にステープルの脚部分の折り曲げ方向を案内するクリンチャ溝１ａを備えている。前記基板部１２１及び前記起立部１２２は、ベース本体１１と同様に合成樹脂により形成されている。一方、前記クリンチャ板１２３は、板金加工により形成されている。また、前記ステープルベース部１２は、上述したようにベース本体１１に回転軸１ｘを介して回転可能に支持されているが、後述するように、回転軸１ｘを介して前記押圧部３及び前記フレーム部５と回転可能に接続している。さらに、前記基板部１２１の回動端には固定爪１２ａが設けられていて、通常はこの固定爪１２ａがベース本体１１の係合凹部１１ｘと係合して互いの相対位置を固定している。
【００１７】
前記押圧部３は、本実施形態では従来のステープラとして周知のものと略同様に構成している。すなわち、ベース１に向かう方向に開口するチャネル状をなすとともに、上述したように一端部を前記ステープルベース部１２に、回転軸１ｘを中心に回転可能に接続されている。そして、その回動端にステープルに当接し、該ステープルを押圧して前記ベース１に向けて押し出す機能を有するドライバ３１を備えている。
【００１８】
前記フレーム部５も、本実施形態では従来のステープラとして周知のものと略同様に構成している。すなわち、前記押圧部３と共通の回転軸１ｘを中心に前記ステープルベース部１２に接続しているとともに、ベース１に向かう方向と逆方向に開口するチャネル状をなし、その内部、すなわち開口部にステープルを収納するマガジン５１を形成している。さらに詳述すると、一端部を前記回転軸１ｘに固定してこのフレーム部５の長手方向に延伸する案内部材５１１をこのフレーム部５の開口部内に設けているとともに、この案内部材５１１にプッシャ５１２をフレーム部５の長手方向にスライド可能に支持させ、さらにコイルバネにより形成したステープル押しバネＳ１を、一端部を前記回転軸１ｘ、他端部をプッシャ５１２に接続して取り付けている。そして、回動端側には前記ドライバ３１により押し出されたステープルを挿通させるステープル挿通孔５ａを備えているとともに、前記プッシャ５１２とこのフレーム部５の回動端との間にステープルが位置するようにし、ステープルを回動端側に向けて付勢している。さらに、このフレーム部５と前記押圧部３との間には板バネＳ２を介在させていて、通常時にはこれらは離間している。本実施形態では、この板バネＳ２は、前記ステープルベース部１２にも当接していて、前記ステープルベース部１２の回動端側は、通常時は前記フレーム部５及び前記押圧部３と離間している。すなわち、本実施形態では単一の板バネＳ２を用いてベース１、押圧部３、及びフレーム部５を通常時において離間させるようにしている。さらに、この板バネＳ２と前記ドライバ３１とは本実施形態では一体的に構成している。
【００１９】
一方、前記操作部２は、本実施形態では、平面視略卵形をなすとともに、その側面を滑らかに湾曲させて上面と滑らかに接続させた形状をなす。そして、この操作部は中空をなすとともに、片手で包み込むように把持できるサイズを有する。
【００２０】
前記動作伝達部材４は、操作部２が受け付けた操作力を受けて前記押圧部３に伝達するように構成している。具体的には、前記動作伝達部材４は、前記ベース１、前記押圧部３、及び前記フレーム部５を接続する回転軸１ｘから偏位した位置に設けられた第２回転軸４ｘを中心に回転可能であり、左右１対に設けられた回転板４１と、この回転板４１間に横架して設けられ、前記操作部に当接するカム面４ａを有する横架材４２と、同じく前記回転板４１間の前記横架材４２から偏位した位置に横架して設けられ前記押圧部３に当接し操作力をこの押圧部に伝える操作力伝達部４３とを具備する。そして、操作部２が受け付けた操作力をカム面４ａが受けて前記操作力伝達部４３に伝え、この操作力伝達部４３が前記押圧部３を押圧して操作力を伝達するように構成している。なお、本実施形態では、操作部２の下面に当接部２１を設け、この当接部２１の下面が動作伝達部材４と当接するように構成している。
【００２１】
しかして本実施形態では、前記ベース１に向かいその載置面に垂直な方向に前記操作部２をスライド移動させる動作により前記操作力が与えられるようにしている。
【００２２】
具体的には、前記操作部２をベース１の載置面に垂直にスライド移動させる機能を有する案内部６を設けている。この案内部６は、前記ベース１のベース本体１１からベース１の載置面に垂直に起立させて１対設けたガイド支柱６１と前記ガイド支柱６１に嵌合可能に、前記操作部２から垂下して１対設けたガイド部材６２とからなる。さらに詳述すると、前記ガイド支柱６１は、奥行き方向に延伸する形状をなしていて、平面視中央部に前記ガイド部材６２を嵌入可能なガイド部材嵌入口６１ａを備えている。一方、前記ガイド部材６２は、平面視前記ガイド支柱６１に対応する位置に設けられているとともに、前記ガイド部材嵌入口６１ａに略隙間なく嵌合可能な形状に形成されている。
【００２３】
このように構成したステープラＳの操作部２を載置面と垂直にベース１に向けて押圧する操作力を加えると、前記案内部６にガイドされて操作部２が載置面と垂直方向に移動しつつ、前記動作伝達部材４のカム面４ａが操作部の下面に当接したまま回転してベース１の載置面となす角を小さくしてトルクアームを大きくしつつ、操作力伝達部４３が前記押圧部３を押圧する。以下従来のステープラと同様の機構によりステープルがベース１に向けて押し出されて図７に示すような状態に変化し、紙葉類の綴じ込みを行う。
【００２４】
また、このようなステープラＳにステープルを補充する操作について以下に説明する。まず、固定爪１２ａと係合凹部１１ｘとの係合を解除し、前記ステープルベース部１２を操作部２から離間する方向に回転させる。すると、前記押圧部３は所定角度回転するとベース本体１１の起立板１１１に設けた図示しない押圧部止めに当接してこれ以上の回転が制限されるのに対して、前記フレーム部５はこのような制限を受けず、前記押圧部３と前記フレーム部５とが離間し、前記マガジン５１にステープルを補充することが可能になる。そして、ステープルの補充を完了させた後、前記固定爪１２ａと前記係合凹部１１ｘとを係合させて前記ステープルベース部１２を元の位置に戻し、さらに操作部２に対して載置面と垂直にベース１に向けて押圧する操作力を加えると、前記押圧部３と前記フレーム部５との間の離間が解除され、紙葉類を綴じ込むことができる状態に戻る。
【００２５】
以上、ベース１を机の天板等に設置するとともに、指先や肘等体の一部により操作力を操作部２に加えて、操作部２をベース１の載置面に垂直な方向にベース１の載置面に向けてスライド移動させることにより、前記操作力伝達機構Ｍによりステープルが前記ベース１に向けて押し出されるようにしているので、ステープラＳを片手で握ることなく紙葉類の綴じ込み操作を行うことができる。従って、手の自由が利かない状態でも使用できるとともに、どのような手の大きさの人にも使いやすくできる。また、スライド移動により操作力を伝達するようにしているので、操作部２の上面のどの部位に操作力を加えても紙葉類の綴じ込み操作を行うのに必要な操作部の移動距離及び必要な操作力は一定であり、操作部２の上面のどの部位に操作力を加えても同様の操作感を与えることができる。さらに、操作部２はベース１の載置面に垂直な方向にベース１の載置面に向けてスライド移動させることが可能であればよいので、デザインの自由度の飛躍的な向上を図ることができる。
【００２６】
前記ベース１に前記ガイド支柱６１を１対起立させて設けているとともに、前記操作部２に前記ガイド支柱６１に嵌合可能に設けたガイド部材６２を１対設けて案内部６を構成しているので、例えば４本のガイド支柱とガイド部材とでガイドするような構成のものと比べて、最小限の部品で操作部２の移動方向を案内でき、またガイド支柱とガイド部材とが噛み付くおそれも低く、前記ガイド部材６２を容易に同期させて移動させることができる。
【００２７】
前記操作部２が、平面視略楕円状ないし卵形をなすとともに、この操作部２は片手で包み込むように把持できるサイズを有するので、操作部を片手で把持して操作を行う場合に操作部が手にフィットして把持しやすくなる構成を実現できる。
【００２８】
前記操作力伝達機構Ｍが、ステープルを前記ベース１に向けて押し出す機能を有する押圧部３と、前記操作部２が受け付けた操作力を前記押圧部３に伝える動作伝達部材４とを具備するとともに、前記ベース１と前記押圧部３との間に位置しステープルを収納するマガジン５１を有するフレーム部５をさらに具備し、前記ベース１、前記フレーム部５、及び前記押圧部３のそれぞれ一端を共通の回転軸１ｘを中心に回転可能に接続しているので、ベースとフレーム部と押圧部とを共通の軸を中心に回転可能に接続する従来のステープラの構成を流用することができる。すなわち、最小限の設定変更で上述した効果を実現できる。
【００２９】
さらに、前記動作伝達部材４が、前記ベース１、前記フレーム部５、及び前記押圧部３を接続する前記回転軸１ｘと偏位した第２回転軸４ｘを中心に回転可能であるとともに、前記操作部２と前記押圧部３との双方に当接するので、動作伝達部材４のトルクアームを、操作部２を押圧していくにつれ大きくできる。従って、紙葉類の綴じ込み操作の後半においてステープルを紙葉類に向けて押圧するために押圧部３に大きな操作力を加える必要がある際に、操作部２に加えた操作力のうちより多くの割合が押圧部３に伝えられ、このようなステープラＳを用いた紙葉類の綴じ込み操作の全行程にわたって必要とされる操作力をより一定に近づけることができるようになり、このようなステープラＳをさらに使いやすいものにできる。
【００３０】
なお、本発明は以上に述べた実施の形態に限られない。
【００３１】
例えば、操作部の形状は、上述した以外にも、例えば立方体状や、直方体状や、半球状や、漫画、アニメ、コンピュータゲームの登場人物その他周知のキャラクターを模した形状等、種々に構成してよい。
【００３２】
また、案内部の形状は、ガイド支柱とガイド部材とをそれぞれ３箇所以上、例えば左右に２箇所ずつ計４箇所に設けるようにしたものでもよく、また、互いに嵌合可能なガイド支柱とガイド部材との組以外のものによる構成、例えばＸリンク機構を用いた構成等を用いてもよい。
【００３３】
さらに、操作力伝達機構は、操作部が受けた操作力をステープルに伝達し、該ステープルをベースに向けて押し出す機能を有するものであれば、上述した実施形態に述べた以外の構成を採用してもよい。例えば、前記押圧部と前記動作伝達部材とを具備する構成における前記動作伝達部材として、上述した実施形態に述べたものでなく、例えば操作部から垂下して設け、その突出端が押圧部に当接するように構成したものを用いてもよい。このようなものであっても、操作部が受けた操作力を押圧部に伝達することは可能だからである。
【００３４】
その他、本発明の趣旨を損ねない範囲で種々に変更してよい。
【００３５】
【発明の効果】
本発明に係るステープラは、操作部をベースに向けて載置面と垂直にスライド移動させる動作により、ステープルをベースに向けて押し出す操作力を加えるようにしているとともに、操作力伝達機構によりこの操作力をステープルに伝達するようにしているので、ベースを机の天板等に載置するとともに、指先や肘等、体の一部により操作力を操作部に加え、操作部を載置面に垂直な方向にベースの載置面に向けてスライド移動させることにより、操作力伝達機構が作用してステープルが前記ベースに向けて押し出される。
【００３６】
すなわち、ステープラを把持することなく紙葉類の綴じ込み操作を行うことができる。従って、手の自由が利かない状態でも使用できるとともに、どのような手の大きさの人にも使いやすくできる。
【００３７】
また、スライド移動により操作力を伝達するようにしているので、操作部のどの部位に操作力を加えても紙葉類の綴じ込み操作を行うのに必要な操作部の移動距離及び必要な操作力は一定であり、操作部のどの部位に操作力を加えても同様の操作感を与えることができる。
【００３８】
また、操作部はベースの載置面に垂直な方向にベースの載置面に向けてスライド移動させることが可能であればよいので、デザインの自由度の飛躍的な向上を図ることができる。
【図面の簡単な説明】
【図１】本発明の一実施形態に係るステープラの斜視図。
【図２】同実施形態に係るステープラの側面図。
【図３】同実施形態に係るステープラの平面図。
【図４】同実施形態に係るステープラの底面図。
【図５】同実施形態に係るステープラの中央縦側断面図。
【図６】図５におけるｘ−ｘ断面図。
【図７】同実施形態に係るステープラの使用時の図５に対応する図。
【符号の説明】
Ｓ…ステープラ
１…ベース
２…操作部
３…押圧部
４…動作伝達部材
５…フレーム部
６…案内部
６１…ガイド支柱
６２…ガイド部材
Ｍ…操作力伝達機構
【図１】
2004209620.tif 000003
【図２】
2004209620.tif 000004
【図３】
2004209620.tif 000005
【図４】
2004209620.tif 000006
【図５】
2004209620.tif 000007
【図６】
2004209620.tif 000008
【図７】
2004209620.tif 000009